(57)【要約】      （修正有）【課題】計量、混合、注入の機能を兼ねた美容器具の開発です。【解決手段】軟質プラスチック製の美容・食品・理化学容器のキャップ部にロートを取り付けた髪染め用の美容器具。【選択図】図１
0003131320.tif 000002
【実用新案登録請求の範囲】
【請求項１】
軟質プラスチック製の美容・食品・理化学容器のキャップ部にロートを取り付けた  髪染め用の美容器具
【請求項２】
ロートの注入端外形寸法を  ８５ｍｍに加工した  請求項１の美容器具。
【請求項３】
ロートの根元端内形寸法を  １０ｍｍから１２ｍｍに加工した・請求項１の美容器具。
【請求項４】
ロート付キャップの全長寸法を７０ｍｍから８０ｍｍに加工した  請求項１の美容器具
【請求項５】
ロートの底部に１０ｍｍΦから１５ｍｍΦで傾斜加工の木栓を組み合わせた  請求項１の美容器具
【考案の詳細な説明】
【考案の詳細な説明】
【技術分野】
【０００１】  本考案は、髪染めに便利な。美容器具に関するものです・
【背景技術】
【０００２】  素天然材１００％のヘナ・ハ〜ブ等での髪染めでのペースト練りは、ボールと混ぜ棒が使用されています
【考案が解決しようとする課題】
【０００３】計量  混合  注入の機能を兼ねた美容器具の開発です・
【課題を解決するための手段】
【０００４】軟質プラスチック容器のキャップ部にロートを組合せる・
【考案を実施するための最良の形態】
【０００５】  素天然材１００％の  ヘナ・ハ〜ブ等での混練法の特性として  粉・ヨーグルト  練り水  等が関与する【０００６】キャップ付ロートに望む条件  として押圧によって  漏れがない【０００７】キャップ付ロートに望む条件  として温度によって  変形量が少なくない【０００８】キャップ付ロートに望む条件  としてＰＨによって  変質量が少なくない【０００９】キャップ付ロートに望む条件  として保存によって  変色量が少なくない【００１０】キャップ付ロートに望む条件  として角度によって  取り出し量が加減できる【００１１】キャップ付ロートに望む条件  として時間によって  発酵量が加減できる【００１２】木栓に望む条件  として接触圧によって  生え際の少量塗布が出来る【００１３】木栓に望む条件  として棒径によって  塗布が加減できる
木栓に望む条件  として先端平面寸法によって  髪振り分け量が加減できる【００１４】モミアゲ部、生え際部には木栓平面端で重ね塗りすると、ポイント仕上がりが簡単になる少量を木栓に含ませたら  半乾きで再度、厚塗りすると  生え際の保湿時間が長くなるので染まりがいい。
【実施例】
【００１５】重量は  １００グラム  容量６０ＣＣがロート内での最大練ヘナペースト量となる【００１６】ヘナの発色を促進する場合に  ヨーグルトで軟く練ります  そして  ３時間位そのまま置く  塗布する際にそのまま使用する。
本考案を活用すると  ロートの中で混練できる    ヘナ  ハーブ等を発酵させて育毛・発色成分が髪に浸透し易いように出来る。【００１８】実施では  １個の本考案キャンプ付ロートを活用して  目安  計量  及び  練り込みに活用する・【００１９】ヘナは、粉が軽いので少量ずつ加えたら３−４回すると  キレイに混ざる【００２０】タトウ  オイルを１％  １００グラムの練りペーストに１グラムの割合で加える時、ロートの中で簡単にできる
【考案の効果】
【００２１】（ア）本考案に係る技法は  こぼさない、少量練り、  少量取り出しできる基本技を器具化した
（イ）ロート効果を活用すると半月位の作り置きヘナ、ペーストができて、こまめなチョイ塗りも期待できる
（ウ）独り染めの技法は  簡単で手袋と本考案容器があれば  いつでも  どこでも出来る。
（エ）天然素材なので簡単に塗布できて放置する、  トラブルポイントの部分塗りが簡単になる
（オ）ロートが身体に接触しても  健康上無害である
障害のある方々にもわずかな訓練によって、ペースト練りが可能となる
（カ）品揃えの、木栓は、柔らかい木質のバムサ材を使用、生え際のペースト塗布に便利です
【図面の簡単な説明】
【００２２】
【図１】  考案容器の斜視図
【図２】  関連用品の取り合図
【符号の説明】
【００２３】１容器本体
２容器キャップ
３ロート取っ手
４キャップ付ロート
５ロート栓
【図１】
0003131320.tif 000003
【図２】
0003131320.tif 000004
【手続補正書】
【提出日】平成18年11月16日(2006.11.16)
【手続補正１】
【補正対象書類名】明細書
【補正対象項目名】全文
【補正方法】変更
【補正の内容】
【考案の詳細な説明】
【実用新案登録請求の範囲】
【請求項１】
軟質プラスチツク製の美容・食品・理化学容器のキャップ部にロートを取り付けた髪染め用の美容器具。
【請求項２】
ロートとキャップの接合を接着剤と圧入で加工した  請求項１の美容器具。
【請求項３】
ロートの出口内径寸法を１０ｍｍ入口内径寸法を１５ｍｍに加工した。請求項１の美容器具。
【請求項４】
木筆兼用木栓の出口側外径を１０ｍ／ｍ、入口側外径を１５ｍｍに加工した  請求項１の美容器具。
【請求項５】
ロートの吐出部に出口内径１０ｍｍΦから入口内径１５ｍｍΦで傾斜加工、木筆兼用の木栓を組み合わせた請求項１の美容器具。
【考案の詳細な説明】
【技術分野】
【０００１】  本考案は、独り髪染めに便利な。美容器具に関するものです。
【背景技術】
【０００２】  素天然材１００％のヘナ・ハ〜ブ等の髪染めでのペースト練りは、ボール器と混ぜ棒が使用されています。
【考案が解決しようとする課題】
【０００３】計量  混合  注入  保存  少量取り出しの機能を兼ねた美容器具の開発です。
【課題を解決するための手段】
【０００４】軟質プラスチツク容器のキャップ部に木筆兼用木栓付きロートを組合せる。
【考案を実施するための最良の形態】
【０００５】  素天然材１００％の  ヘナ・ハ〜ブ等での混練法の特性として  粉、ヨーグルト、温水、酵母水素水、練り水  等が関与する。これ等を最適な状況に維持するのが技法となります。【０００６】キャップ接合付ロートに望む条件  として押圧によって  漏れがない  機密性にすぐれている。【０００７】キャップ接合付ロートに望む条件  として１００℃温度によって  変形量が少なくない  耐熱性がある。【０００８】キャップ接合付ロートに望む条件  としてヨーグルト３，０ＰＨによって  変質量が少なくない  耐薬品性がある。【０００９】キャップ接合付ロートに望む条件  として１カ月間ペースト状保存によって  変色量が少なくない  耐染色性がある。【００１０】キャップ接合付ロートに望む条件  として角度によって  取り出し量が加減できる  作業性がよい。【００１１】キャップ接合付ロートに望む条件  として練り時間によって酵母量が加減できる  発酵力にすぐれている。【００１２】木筆兼用木栓に望む条件  として塗布角度によって  生え際の少量塗布が出来る【００１３】木筆兼用木栓に望む条件  として棒径によって  塗布量が加減できる【００１４】木筆兼用木栓に望む条件  として先端平面寸法によって  髪振り分け量が加減できる  櫛機能がある。【００１５】モミアゲ部、生え際部には木筆兼用木栓平面端で重ね塗りすると、部分塗りが簡単になる  少量を木筆兼用木栓に取り出し、半乾きで再度  厚塗りすると  生え際の保湿時間が長くなるので染まりがいい。
【実施例】
【００１６】重量は  １００グラム  容量６０ＣＣがロート内での最大混練ヘナペースト量となる。【００１７】ヘナの発色を促進する場合に  ヨーグルトで軟く練ります  そして  ３時間位そのまま発酵させて  塗布する際にそのまま使用する。
本考案を活用すると  保存、温めが簡単にでき  ヘナ  ハーブ等を発酵させて育毛、発色成分が髪に浸透し易いように出来る。【００１８】実施では  ２個の本考案キャップ付ロートを活用して  堅練り、ゆる練りが簡単にできる。
塗布場所によって使い分けている。【００１９】ヘナは、粉が軽いので少量ずつヨーグルトに加えたら混練する。これを必要量になるまで繰り返す。【００２０】タトウ  オイルを１％位  １００グラムの練りペーストに１グラムの割合で加える場合には、ロートの中で簡単にできる
【考案の効果】
（ア）本考案に係る技法は  こぼさない、少量練り、  少量取り出しできる基本技を器具化できた。
（イ）ロート効果を活用すると作り置きヘナ、ペーストができて、少量の粘度調整が出来るチョイ塗りも期待できる
（ウ）独り染めの技法は  簡単で手袋、関連の金具付きボトル、並び凸型タオルと本考案容器があれば  いつでも  どこでも出来る。
（エ）天然素材なので簡単に塗布できて安全である。白髪や薄毛頭頂の部分塗りが簡単になる。
（オ）木筆兼用木栓付きロートが身体に接触しても  健康上無害である。
障害のある方々にもわずかな訓練によって、髪化粧が可能となる。
（カ）木筆兼用木栓は、柔らかい木質を使用して、頭皮を痛めない工夫をする。生え際のペースト塗布に便利です
【図面の簡単な説明】
【図１】  考案容器の斜視図
【図２】  関連用品の取り合図
【図３】  使用状況図
【符号の説明】
１容器本体
２容器キャップ
３ロート取っ手
４キャップ付ロート
５木筆兼用ロート栓
【手続補正２】
【補正対象書類名】図面
【補正対象項目名】全図
【補正方法】変更
【補正の内容】
【図１】
0003131320.tif 000005
【図２】
0003131320.tif 000006
【図３】
0003131320.tif 000007
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
軟質プラスチツク製の美容・食品・理化学容器のキャップ部にロートを取り付けた、髪染め用の美容器具。
【請求項２】
ロートとキャップの接合を接着剤と圧入で加工した、請求項１の美容器具。
【請求項３】
ロートの出口内径寸法を１０ｍｍ、入口内径寸法を１５ｍｍに加工した、請求項１の美容器具。
【請求項４】
木筆兼用木栓の出口側外径を１０ｍｍ、入口側外径を１５ｍｍに加工した、請求項１の美容器具。
【請求項５】
ロートの吐出部を出口内径１０ｍｍΦから入口内径１５ｍｍΦで傾斜加工した、それに木筆兼用の木栓を組み合わせた、請求項１の美容器具。
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【考案の詳細な説明】
【技術分野】
【０００１】  本考案は、独り髪染めに便利な。美容器具に関するものです。
【背景技術】
【０００２】  素天然材１００％のヘナ・ハ〜ブ等の髪染めでのペースト練りは、ボール器と混ぜ棒が使用されています。
【考案が解決しようとする課題】
【０００３】計量  混合  注入  保存  少量取り出しの機能を兼ねた美容器具の開発です。
【課題を解決するための手段】
【０００４】軟質プラスチツク容器のキャップ部に木筆兼用木栓付きロートを組合せる。
【考案を実施するための最良の形態】
【０００５】  素天然材１００％の  ヘナ・ハ〜ブ等での混練法の特性として  粉、ヨーグルト、温水、酵母水素水、練り水  等が関与する。これ等を最適な状況に維持するのが技法となります。【０００６】キャップ接合付ロートに望む条件  として押圧によつて  漏れがない  機密性にすぐれている。【０００７】キャップ接合付ロートに望む条件  として１００℃温度によつて  変形量が少なくない  耐熱性がある。【０００８】キャップ接合付ロートに望む条件  としてヨーグルト３，０ＰＨによつて  変質量が少なくない  耐薬品性がある。【０００９】キャップ接合付ロートに望む条件  として１カ月間ペースト状保存によつて  変色量が少なくない耐染色性がある。【００１０】キャップ接合付ロートに望む条件  として角度によつて  取り出し量が加減できる  作業性がよい。【００１１】キャップ接合付ロートに望む条件  として練り時間によつて酵母量が加減できる  発酵力にすぐれている。【００１２】木筆兼用木栓に望む条件  として塗布角度によつて  生え際の少量塗布が出来る【００１３】木筆兼用木栓に望む条件  として棒径によつて  塗布量が加減できる【００１４】木筆兼用木栓に望む条件  として先端平面寸法によつて  髪振り分け量が加減できる  櫛機能がある。【００１５】モミアゲ部、生え際部には木筆兼用木栓平面端で重ね塗りすると、部分塗りが簡単になる  少量を木筆兼用木栓に取り出し、半乾きで再度  厚塗りすると  生え際の保湿時間が長くなるので染まりがいい。
【実施例】
【００１６】重量は  １００グラム  容量６０ＣＣがロート内での最大混練ヘナペースト量となる。【００１７】ヘナの発色を促進する場合に  ヨーグルトで軟く練ります  そして  ３時間位そのまま発酵させて  塗布する際にそのまま使用する。
本考案を活用すると  保存、温めが簡単にでき  ヘナ  ハーブ等を発酵させて育毛、発色成分が髪に浸透し易いように出来る。【００１８】実施では  ２個の本考案キャップ付ロートを活用して  堅練り、ゆる練りが簡単にできる。塗布場所によって使い分けている。【００１９】ヘナは、粉が軽いので少量ずつヨーグルトに加えたら混練する。これを必要量になるまで繰り返す。【００２０】タトウ  オイルを１％位  １００グラムの練りペーストに１グラムの割合で加える場合には、ロートの中で簡単にできる
【考案の効果】
（ア）本考案に係る技法は  こぼさない、少量練り、少量取り出しできる基本技を器具化できた。
（イ）ロート効果を活用すると作り置きヘナ、ペーストができて、少量の粘度調整が出来るチョイ塗りも期待できる
（ウ）独り染めの技法は  簡単で手袋、関連の金具付きボトル、並び凸型タオルと本考案容器があれば  いつでも  どこでも出来る。
（エ）天然素材なので簡単に塗布できて安全である。白髪や薄毛頭頂の部分塗りが簡単になる。
（オ）木筆兼用木栓付きロートが身体に接触しても  健康上無害である。
障害のある方々にもわずかな訓練によって、髪化粧が可能となる。
（カ）木筆兼用木栓は、柔らかい木質を使用して、頭皮を痛めない工夫をする。生え際のペースト塗布に便利です
【図面の簡単な説明】
【図１】  考案容器の斜視図
【図２】  関連用品の取り合図
【図３】  使用状況図
【符号の説明】
１容器本体
２容器キャップ
３ロート取っ手
４キャップ付ロート
５木筆兼用ロート栓